(57)【要約】【課題】上部フレームをさらに分割しても、容易にオイルパンを形成することができるようにした乗客コンベア装置を提供する。【解決手段】上部フレーム９は、ほぼ水平な部分に形成した分割部１４によって、傾斜フレーム１１と連なる傾斜部とほぼ水平な部分の一部とを有する上部傾斜フレーム１３と、他のほぼ水平な部分によって構成した上部水平フレーム１２とに分割して構成し、上部傾斜フレーム１３の下部に、傾斜フレーム１１側に向かって下る底面を有するオイルパン補正部２３と、オイルパン補正部２３の上部水平フレーム１２側に位置する端部に固定され、かつ上部傾斜フレーム１３と上部水平フレーム１２との分割部１４よりも後退して配置されたガイド受け部２５とを設け、組み立て時に、上部水平フレーム１２の下部側から配置されてガイド受け部２５に載せた位置に移動されると共に、結合された状態の分割部１４の下方で上部傾斜フレーム１３と上部水平フレーム１２とに跨って配置した継ぎ手油受け部２７を設けた。【選択図】図４
2015113197.tif 000002
【特許請求の範囲】
【請求項１】
無端状に連結されて循環移動する複数のステップと、前記複数のステップを支持するフレームと、前記複数のステップを駆動する駆動装置と、前記フレームの底部に設けられて潤滑油を回収する一連の潤滑油回収用オイルパンとを備え、前記フレームは、その長手方向の中間に位置して傾斜を有する傾斜フレームと、前記傾斜フレームの上方側に位置してほぼ水平な部分を有した上部フレームとを備え、かつ、前記潤滑油回収用オイルパンを各フレーム毎に分割した分割オイルパンとして構成した乗客コンベア装置において、
前記上部フレームは、前記ほぼ水平な部分に形成した分割部によって、前記傾斜フレームと連なる傾斜部と前記ほぼ水平な部分の一部とを有する上部傾斜フレームと、前記ほぼ水平な部分の残りの部分によって構成した上部水平フレームとに分割して構成し、前記上部傾斜フレームの下部に設けられた分割オイルパンは、前記傾斜フレーム側に向かって下る底面を有するオイルパン補正部と、前記オイルパン補正部の前記上部水平フレーム側に位置する端部に固定され、かつ前記上部傾斜フレームと前記上部水平フレームとの前記分割部よりも前記傾斜フレーム側に配置されたガイド受け部と、前記ガイド受け部に対して着脱可能に構成され、前記ガイド受け部と連なる継ぎ手油受け部とを有して構成され、前記継ぎ手油受け部が前記ガイド受け部に取り付けられた組立状態において前記継ぎ手油受け部は、前記分割部を跨ぐように配置されることを特徴とする乗客コンベア装置。
【請求項２】
前記ガイド受け部は、前記フレームの幅方向に間隔を空けて設けられた一対の第１側板を有し、前記継ぎ手油受け部は、前記フレームの幅方向に間隔を空けて設けられた一対の第２側板を有し、前記継ぎ手油受け部が前記ガイド受け部に取り付けられた状態で、前記第２側板は前記第１側板の内側に配置されることを特徴とする請求項１に記載の乗客コンベア装置。
【請求項３】
前記分割部を塞ぐように前記上部傾斜フレームと前記上部水平フレームに跨って、かつ前記上部傾斜フレームと前記上部水平フレームの外側面に固定した継ぎ手部カバーを設け、前記継ぎ手部カバーの下方側端を前記継ぎ手油受け部に形成した前記第２側板の内側に配置したことを特徴とする請求項２に記載の乗客コンベア装置。
【請求項４】
前記継ぎ手油受け部および前記継ぎ手部カバーにおける前記上部傾斜フレームと前記上部水平フレームに対する外周部に、前記分割部からの潤滑油の漏洩を防止するコーキングを施したことを特徴とする請求項３に記載の乗客コンベア装置。
【請求項５】
前記一対の第２側板の前記ガイド受け部側の幅方向間隔を、先細にしたテーパ状に形成したことを特徴とする請求項２から４の何れかに記載の乗客コンベア装置。
【請求項６】
前記継ぎ手油受け部は、前記傾斜フレーム側に向かって下る底板を有して構成したことを特徴とする請求項１から５の何れかに記載の乗客コンベア装置。
【発明の詳細な説明】
【技術分野】
【０００１】
本発明は、複数に分割されたフレームを使用して組み立てた乗客コンベア装置に関する。
【背景技術】
【０００２】
一般に、乗客コンベア装置として知られるエスカレータ装置は、複数のステップがステップチェーンにより無端状に連結されており、駆動装置によってステップチェーンを駆動することにより、複数のステップを循環移動するように構成されている。複数のステップはフレームによって支持され、フレームは、上部フレームと、傾斜フレームと、下部フレームとで構成されているのが一般的である。そして、これら上部フレーム、傾斜フレーム、下部フレーム毎に分割オイルパンが設けられ、各フレームが組み立てられた際、分割オイルパンも連結され、一連の潤滑油用オイルパンを形成するようになっている。
【０００３】
また、ステップチェーンやその他のチェーンには、潤滑油供給装置によって定期的に潤滑油が供給される。その際、余分な潤滑油は滴下し、フレームの底部に取り付けられている前記潤滑油用オイルパンによって滴下した潤滑油が受けられるようになっている。
【０００４】
更に、従来の乗客コンベア装置であるエスカレータ装置では、輸送制限のためにその長手方向に複数に分割し、現地にて組み立てる方式の構成が知られている。例えば、特許文献１には、基本的には、長手方向の中間に位置する傾斜フレームと、この傾斜フレームの両側に位置する上部フレームおよび下部フレームに分割し、上部フレームおよび下部フレームは、傾斜フレームに連なる傾斜した部分と水平な部分とを有するほぼへ字状の構成となったものが開示されている。
【先行技術文献】
【特許文献】
【０００５】
【特許文献１】特開２０１０−２２２０８９号公報
【発明の概要】
【発明が解決しようとする課題】
【０００６】
しかしながら、従来の乗客コンベア装置では、現地での搬入制限等により、上部フレームをさらに二分割した状態で現地に送り、現地で分割された上部フレームを組み立てることが必要な場合がある。この場合、上部フレームに設ける分割オイルパンも同様に二分割された状態で現地に出荷され、現地で組み立てられることになる。この分断された分割オイルパンを再結合する場合、フレーム内での狭隘作業となってしまうので、簡単に溶接などによって行うことができない。しかも、上部フレーム内には、モータや減速機などの駆動装置の他にも種々の装置などが配置されているため、上部フレームの底部に設けられる分割オイルパンは、チェーンから滴下した潤滑油だけでなく、フレーム側面に飛散する潤滑油をも外部に漏らさない構造にしなければならない。また上部フレームの殆どが水平な部分から構成されているため、もし水平な部分で分割オイルパンを二分割すると、組み立て時に、溶接以外の他の方法で分割オイルパンを連結しようとすると連結部から潤滑油が漏れる危険がある。
【０００７】
本発明の目的は、上部フレームをさらに分割しても、潤滑油の漏れを防止でき、かつ、容易に分割オイルパンを形成することができるようにした乗客コンベア装置を提供することにある。
【課題を解決するための手段】
【０００８】
本発明は前記目的を達成するために、無端状に連結されて循環移動する複数のステップと、前記複数のステップを支持するフレームと、前記複数のステップを駆動する駆動装置と、前記フレームの底部に設けられて潤滑油を回収する一連の潤滑油回収用オイルパンとを備え、前記フレームは、その長手方向の中間に位置して傾斜を有する傾斜フレームと、前記傾斜フレームの上方側に位置してほぼ水平な部分を有した上部フレームとを備え、かつ、前記潤滑油回収用オイルパンを各フレーム毎に分割した分割オイルパンとして構成した乗客コンベア装置において、前記上部フレームは、前記ほぼ水平な部分に形成した分割部によって、前記傾斜フレームと連なる傾斜部と前記ほぼ水平な部分の一部とを有する上部傾斜フレームと、前記ほぼ水平な部分の残りの部分によって構成した上部水平フレームとに分割して構成し、前記上部傾斜フレームの下部に設けられた分割オイルパンは、前記傾斜フレーム側に向かって下る底面を有するオイルパン補正部と、前記オイルパン補正部の前記上部水平フレーム側に位置する端部に固定され、かつ前記上部傾斜フレームと前記上部水平フレームとの前記分割部よりも前記傾斜フレーム側に配置されたガイド受け部と、前記ガイド受け部に対して着脱可能に構成され、前記ガイド受け部と連なる継ぎ手油受け部とを有して構成され、前記継ぎ手油受け部が前記ガイド受け部に取り付けられた組立状態において、前記継ぎ手油受け部は、前記分割部を跨ぐように配置されることを特徴とする。
【発明の効果】
【０００９】
本発明によれば、上部フレームをさらに分割しても、潤滑油の漏れを防止でき、かつ、容易に分割オイルパンを形成することができる。なお、上記した以外の課題、構成及び効果は、以下の実施形態の説明により明らかにされる。
【図面の簡単な説明】
【００１０】
【図１】本発明の一実施の形態による乗客コンベア装置の概略構成図である。
【図２】図１に示した乗客コンベア装置におけるフレーム構成を示す側面図である。
【図３】図２に示した上部フレームを示す拡大側面図である。
【図４】図２に示したフレームにおける分割部の近傍を示す拡大図である。
【図５】図２に示したオイルパン補正部を示す拡大斜視図である。
【図６】図４に示した継ぎ手油受け部の斜視図である。
【図７】図５および図６に示したオイルパン補正部と継ぎ手油受け部の組み合わせ状態を示した斜視図である。
【図８】図４に示したフレームの分割部に沿って断面した断面図である。
【図９】図４に示した上部水平フレームと上部傾斜フレームの分割部付近における組み立て初期状態を示す拡大図である。
【図１０】図９に示した上部水平フレームと上部傾斜フレームの分割部付近における組み立て終期状態を示す拡大図である。
【図１１】本発明の他の実施の形態による乗客コンベア装置の要部であるガイド受け部と継ぎ手油受け部を示す平面図である。
【発明を実施するための形態】
【００１１】
以下、本発明の実施の形態を図面に基づいて説明する。
【実施例１】
【００１２】
図１は、本発明の一実施の形態である乗客コンベア装置としてのエスカレータ装置を示す概略構成図である。エスカレータ装置は、駆動スプロケット１と従動スプロケット２とに跨って無端状に巻き掛けられたステップチェーン３と、このステップチェーン３に連結されて循環移動する複数のステップ４と、ステップチェーン３を介して各ステップ４を駆動する駆動装置５と、各ステップ４を支持するフレーム６と、フレーム６の幅方向の両側に立設された欄干パネル７と、この欄干パネル７の周縁に案内されて移動するハンドレール８とを備えている。
【００１３】
図２は、フレーム６の全体を示す側面図である。フレーム６は、基本的には上階床に設置される上部フレーム９と、下階床に設置される下部フレーム１０と、上部フレーム９と下部フレーム１０との間に配置される傾斜フレーム１１とに分割されている。この分割された各フレームの底部にはそれぞれ分割オイルパン（図示せず）が設けられている。さらに上部フレーム９は、水平方向に延びた枠状の部材である上部水平フレーム１２と、水平方向に延びた枠状の部材を途中で下方に折り曲げた形状（への字形状）の上部傾斜フレーム１３とに、分割位置１４で二分割された構成となっている。下部フレーム１０と、傾斜フレーム１１と、上部水平フレーム１２と、上部傾斜フレーム１３とは、エスカレータ装置を設置する場所まで分割された状態で搬送され、現地にて両者はボルトとナット、またはその他の連結手段により結合される。この時、分割オイルパンも結合され一連の潤滑油オイルパン（潤滑油回収用オイルパン）を形成する。
【００１４】
図３は、上部フレーム９を拡大して示す側面図である。上部フレーム９には、図１に示したステップチェーン３およびハンドレール８を駆動するための各種装置、例えば、ハンドレール８を駆動するハンドレール駆動装置１５、ステップ４を駆動する駆動装置１６、駆動輪１７、方向調整輪１８、制御盤１９などが設置されている。駆動装置１６と駆動輪１７との間にはチェーン２０が掛けられ、駆動輪１７と方向調整輪１８との間にはチェーン２１が掛けられ、ハンドレール駆動装置１５と方向調整輪１８との間にはチェーン２２が掛けられている。各チェーン２０〜２２には図示しない潤滑油供給装置から定期的に潤滑油が供給される。各チェーン２０〜２２に供給された潤滑油のうち滴下した余分な潤滑油や、チェーン２０〜２２の回転によって飛散した潤滑油は、フレーム６の底部に形成された一連の潤滑油オイルパンによって回収される。
【００１５】
上部フレーム９は、輸送上の都合により水平な部分に形成した分割部１４よって上部水平フレーム１２と水平な部分の一部を有する上部傾斜フレーム１３とに分けて製作されている  現地でのフレームの組み立て時に、各分割フレーム毎にその底部に構成されているオイルパンも連結されて、一連の潤滑油回収用オイルパンとして構築されることになる。下部フレーム１０と傾斜フレーム１１との間の分割部、また傾斜フレーム１１と上部傾斜フレーム１３との間の分割部には傾斜があるため、この傾斜を利用して各分割オイルパンを連結すると逆流することのない一連の潤滑油回収用オイルパンを容易に得ることができる。しかし、分割部１４で分割された分割オイルパンは、近傍に種々の駆動装置やチェーンなどが配置されており、しかも、上部水平フレーム１２と上部傾斜フレーム１３との間が共に水平な部分の連結となるため、漏れのない連結部とするには工夫が必要である。次に、この上部フレーム９における潤滑油回収用オイルパンについて説明する。
【００１６】
図４は、図２における分割部１４の近傍を示す拡大図である。上部傾斜フレーム１３の底部には、傾斜フレーム１１側に向かって多少左下がりの斜めに配置したオイルパン補正部２３が取り付けられている。このように傾斜したオイルパン補正部２３は、滴下してきた潤滑油を受け止めて傾斜フレーム１１側へと円滑に導くのに好適である。
【００１７】
また、このようなオイルパン補正部２３は、上部傾斜フレーム１３の分割の仕方によって容易に得ることができる。つまり、上部傾斜フレーム１３を傾斜フレーム１１と分割部２４で分割するとき、上部傾斜フレーム１３が水平な部分のみで構成されるのではなく傾斜フレーム１１に連なる傾斜した部分を含むようにしている。さらに、上部フレーム９を二分割するとき、全てが水平な部分と、全てが傾斜部分とに分けるのではなく、上部傾斜フレーム１３が傾斜部１３ａと水平な部分１３ｂとを含むように分割部１４を形成している。このため、上部傾斜フレーム１３における傾斜部１３ａと水平な部分１３ｂとの結合部付近の下方空間部を利用してオイルパン補正部２３を設けると、傾斜フレーム１１側に向かって多少左下がりの斜めに配置したオイルパン補正部２３を容易に得ることができる。
【００１８】
このように、分割する際の上部傾斜フレーム１３の形状を工夫して、上部傾斜フレーム１３の下方空間部を活用しながら、かつ高低差を利用して下流側へと流れるように傾斜を持たせたオイルパン補正部２３を容易に配置することができる。
【００１９】
オイルパン補正部２３は、その分割部１４側にガイド受け部２５が一体的に形成されている。詳細を後述するがガイド受け部２５の底面もオイルパン補正部２３の底面と同様の傾斜が形成されている。
【００２０】
オイルパン補正部２３およびガイド受け部２５は、上部傾斜フレーム１３と共に一体的に組み立てられた状態で輸送されることになる。そこで、オイルパン補正部２３における傾斜フレーム１１側の端部は、傾斜フレーム１１側に突出しないように形成され、またガイド受け部２５における上部水平フレーム１２側の端部は、上部水平フレーム１２側に突出しないように、つまり、分割部１４よりも後退した位置に配置されている。
【００２１】
この構成により、オイルパン補正部２３は分割部１４から突出しないので輸送時に不注意で変形させたりすることなく取り扱いが容易になる。
【００２２】
上部水平フレーム１２と上部傾斜フレーム１３とを分離していた分割部１４は、現地において結合され、その側面が継ぎ手部カバー２６によって塞がれている。ガイド受け部２５の内側には、現地組み立て時に上部水平フレーム１２の下部側から挿入されてガイド受け部２５側に移動された継ぎ手油受け部２７が嵌め込まれている。この継ぎ手油受け部２７は、分割部１４のほぼ真下に位置し、かつ、継ぎ手部カバー２６の下方部を内側にして包囲している。こうして継ぎ手油受け部２７は、分割部１４付近または上部水平フレーム１２側から滴下してくる潤滑油を受け、その後、オイルパン補正部２３側に潤滑油を導くものとなっている。
【００２３】
この構成により、上部傾斜フレーム１３と上部水平フレーム１２とを結合するとき、新たに追加した継ぎ手油受け部２７をガイド受け部２５に載せることによって傾斜を持たせたオイルパン補正部２３側へ簡単に連続させることができる。
【００２４】
図５は、オイルパン補正部２３を示す拡大斜視図である。オイルパン補正部２３は、分割部１４に向かって右上がりの斜めに配置された底板２８と、この底板２８の両側に一体的に形成した側板２９とを有して受け皿状に形成されており、滴下してくる潤滑油を受けてほぼ淀ますことなく傾斜フレーム１１側へと導くことができる。底板２８の上流側には図４に示したガイド受け部２５が形成されており、このガイド受け部２５の底板３０は底板２８と連続して一体的に形成されている。しかし、底板３０は、下流側の底板２８に比べて幅が大きくされ、その両側には一体的な側板３１（第１側板）が形成されている。側板２９と側板３１（第１側板）は連続したものとなるように連結され、底板２８，３０上を流れる潤滑油が側方へ漏れ出ないようにされている。
【００２５】
また、幅の狭い一対の側板２９が上部傾斜フレーム１３における側部の内側に配置され、幅の広い一対の側板３１（第１側板）が上部傾斜フレーム１３における側部の外側（詳細は図８参照）に配置されている。
【００２６】
図６は、図４に示した継ぎ手油受け部２７の斜視図である。継ぎ手油受け部２７は、底板３２と、この底板３２の両側に一体的に形成した一対の側板３３（第２側板）とを有する受け皿状に構成されている。底板３２の長手方向下部には傾斜部３４が一体的に形成され、また底板３２の長手方向上部には位置決め部３５が一体的に形成されている。一対の側板３３（第２側板）間の幅間隔は、上部水平フレーム１２および上部傾斜フレーム１３の幅よりも大きく、かつ図５に示した一対の側板３１（第１側板）間の幅間隔よりも小さい。また、一対の側板３３（第２側板）は、図５に示したガイド受け部２５の側板３１（第１側板）よりも高さがある。
【００２７】
次に、現地でのフレーム組み立て作業について説明する。
【００２８】
作業者は、分割されて輸送された下部フレーム１０、傾斜フレーム１１、上部水平フレーム１２および上部傾斜フレーム１３をボルトやナットを使用して図２に示した状態に結合する。溶接機を使用できるなら、これを使用して各分割部を結合する。このとき、上部傾斜フレーム１３の下部には、輸送の段階で、予めオイルパン補正部２３およびガイド受け部２５などが一体的に組み込まれている。しかし、分割部１４での結合が完了した状態では、図４に示した継ぎ手油受け部２７はまだ配置されていない。
【００２９】
図４に示した上部水平フレーム１２および上部傾斜フレーム１３間を結合した後、作業者は、図６に示した継ぎ手油受け部２７を取り、その底板３２を下方にした状態で上部水平フレーム１２の下部へ図４の右側から差し込む。このとき、作業者は、幅寸法の関係から、継ぎ手油受け部２７の一対の側板３３（第２側板）が上部水平フレーム１２および上部傾斜フレーム１３の側面よりも外側に位置するように配置する。その後、作業者は、継ぎ手油受け部２７を上部傾斜フレーム１３側に移動させ、継ぎ手油受け部２７の半分程度がガイド受け部２５の上に載るようにする。
【００３０】
先に寸法関係について述べたように、継ぎ手油受け部２７の移動のため使用するガイド受け部２５は、その内側に継ぎ手油受け部２７が配置される。このため、ガイド受け部２５は継ぎ手油受け部２７で受けた潤滑油が直接外部へと漏れるのを防止することになる。また、ガイド受け部２５は継ぎ手油受け部２７を移動するときの支えともなり、継ぎ手油受け部２７をガイド受け部２５にスムーズに移動できる。
【００３１】
こうして、継ぎ手油受け部２７は、輸送時にはなかった位置に配置されたことになり、しかも、分割部１４のほぼ真下で上部傾斜フレーム１３と上部水平フレーム１２とに跨った位置に配置されることになる。
【００３２】
このように、分割部１４の上部傾斜フレーム１３と上部水平フレーム１２の下方に跨って継ぎ手油受け部２７を配置しているので、結合された状態の分割部１４の近傍で滴下したり飛散したりする潤滑油を継ぎ手油受け部２７で確実に受け、傾斜させて形成されているオイルパン補正部２３を利用して潤滑油を傾斜フレーム１１側へと容易に回収することができる。
【００３３】
図７は、このときのオイルパン補正部２３とガイド受け部２５及び継ぎ手油受け部２７のみを示した斜視図である。作業者が、継ぎ手油受け部２７を上部傾斜フレーム１３側に移動させると、ガイド受け部２５の側板３１（第１側板）間で案内されながら、継ぎ手油受け部２７が移動することになる。
【００３４】
上述したように継ぎ手油受け部２７に形成した一対の側板３３（第２側板）は、ガイド受け部２５の側板３１（第１側板）よりも高さがある。このため、継ぎ手油受け部２７の側板３３（第２側板）はガイド受け部２５の側板３１（第１側板）よりも上方へ突出している。そこで、作業者は、ペンチなどの工具を使用してこの側板３３（第２側板）を挟みながら、継ぎ手油受け部２７をガイド受け部２５側へと引き入れる。
【００３５】
図６に示したように継ぎ手油受け部２７には位置決め部３５が形成されているので、継ぎ手油受け部２７が正しい姿勢でガイド受け部２５上を案内されると、位置決め部３５が上部水平フレーム１２の下面に接触する。図４に示すように継ぎ手油受け部２７が所定の位置に達すると、上述したようにオイルパン補正部２３の底板２８と、継ぎ手油受け部２７の底板３２は、水平面に対して上部傾斜フレーム１３側に下りとなる一連の傾斜面を形成する。継ぎ手油受け部２７には、所定の位置で上部傾斜フレーム１３および上部水平フレーム１２に形成したねじ孔と合致する孔を予め形成しておき、ねじをねじ穴にねじ込んで両者を固定する。
【００３６】
図８は、図４の分割部１４に沿って断面した断面図である。ガイド受け部２５に形成した一対の側板３１（第１側板）間の幅は、上部水平フレーム１２および上部傾斜フレーム１３の幅よりも大きい。また一対の側板３１（第１側板）間に引き込まれた継ぎ手油受け部２７に形成した一対の側板３３（第２側板）間の幅も、上部水平フレーム１２および上部傾斜フレーム１３の幅よりも大きく、図８に示すように側板３３（第２側板）の内面と上部水平フレーム１２および上部傾斜フレーム１３の外面との間には隙間Ｇが存在している。この隙間Ｇを利用して、図４に示した継ぎ手部カバー２６が取り付けられる。
【００３７】
次に、継ぎ手部カバー２６の取り付け作業について、上部水平フレーム１２と上部傾斜フレーム１３とを分離していた分割部１４付近を示す拡大図である図９および図１０を用いて説明する。
【００３８】
図９に示すように上部水平フレーム１２および上部傾斜フレーム１３の側面部には、フレーム側板３６，３７が溶接などによって予め取り付けられている。作業者は、フレーム側板３６，３７の対向部付近で上下方向に延びたコーキング３８，３９を施す。このコーキング３８，３９の位置は、図１０に示した継ぎ手部カバー２６を想定したり、後述する取り付け用のねじ４０の位置を考慮して決定されている。
【００３９】
その後、作業者は、図１０に示すように既に結合されている分割部１４を跨いで覆うように、かつコーキング３８，３９が外周縁部よりも多少内側に位置するように継ぎ手部カバー２６を配置する。このとき、作業者は、図８に示したように側板３３（第２側板）と、上部水平フレーム１２および上部傾斜フレーム１３との間に形成されている隙間Ｇに、継ぎ手部カバー２６の下部を挿入する。従って、継ぎ手部カバー２６の下端４４は、継ぎ手油受け部２７の底板３２の上方部で、かつ側板３３（第２側板）間に位置する。次いで、作業者は、継ぎ手部カバー２６の外周部に複数本のねじ４０をねじ込み、上部水平フレーム１２および上部傾斜フレーム１３へ固定する。
【００４０】
次いで、作業者は、継ぎ手部カバー２６の上方端および下方端を除いて両側方の外周に沿ってコーキング４１，４２を施して同部を塞ぐ。継ぎ手部カバー２６の同部は、図９に示したコーキング３８，３９と合わせて二重に塞がれることになる。さらに、作業者は、上部水平フレーム１２および上部傾斜フレーム１３に対する継ぎ手油受け部２７の外周部にコーキング４３を施して塞ぐ。ねじ４０の周りにもコーキングを施す。尚、図示を省略しているが、上部水平フレーム１２および上部傾斜フレーム１３の裏面側についても同様である。
【００４１】
図３で説明したように、上部水平フレーム１２および上部傾斜フレーム１３の内側では複数のチェーン２０〜２２が使用され、乗客コンベアとしての運転状態では、各チェーン２０〜２２に対して図示しない潤滑油供給装置から定期的に潤滑油が供給される。各チェーン２０〜２２に供給された潤滑油のうち滴下した余分な潤滑油は、図１０に示した継ぎ手油受け部２７で受けられて、オイルパン補正部２３側へと回収されて行く。
【００４２】
一方、各チェーン２０〜２２の回転によって飛散した潤滑油は、分割部１４から上部水平フレーム１２および上部傾斜フレーム１３の外側に漏れる可能性があるが、上述したように継ぎ手部カバー２６を使用し、また各コーキング３８，３９および各コーキング４１〜４３を施して継ぎ手部カバー２６の周囲が塞がれているので、分割部１４から漏れることはない。
【００４３】
また、飛散した潤滑油が分割部１４に存在している隙間から入り込んで、図１０に示した継ぎ手部カバー２６の裏面側に付着し、やがて滴下することも考えられる。しかしながら、特に、図１０に示したように継ぎ手部カバー２６の下端４４は、継ぎ手油受け部２７の底板３２の上方部で、かつ側板３３（第２側板）間に位置させているため、継ぎ手部カバー２６の裏面から潤滑油が滴下したとしても、継ぎ手油受け部２７で受け、オイルパン補正部２３側へと回収することができる。
【００４４】
上述した継ぎ手部カバー２６は、ボルト４０によって固定する場合を説明したが、溶接によって固定しても良い。溶接の場合も、図１０に示したコーキング４１〜４３を施すと良い。
【００４５】
また上部水平フレーム１２内にも同部用の分割オイルパン（図示せず）が構成されている場合、上部水平フレーム１２側の分割オイルパンと、上部傾斜フレーム１３側のオイルパン補正部２３との間を、継ぎ手油受け部２７によって連結することになる。このときも、上部水平フレーム１２からの潤滑オイルがオイルパン補正部２３側へと移動させられるようにする。例えば、上部水平フレーム１２からの潤滑油も上部傾斜フレーム１３側に向かって多少左下がりの斜めに配置したりして、上部水平フレーム１２の分割オイルパンと継ぎ手油受け部２７との間に多少の高低差を形成すると良い。
【実施例２】
【００４６】
図１１は、本発明の他の実施の形態による乗客コンベア装置の要部であるオイルパン補正部２３とガイド受け部２５及び継ぎ手油受け部２７を示す平面図である。
【００４７】
ガイド受け部２５に形成した一対の側板３１の内面間の幅寸法をＷ０としている。これに対して、ガイド受け部２５の上部に移動させられる継ぎ手油受け部２７に形成された一対の側板３３間は、その挿入先端側を先細にしたテーパーが形成されており、ガイド受け部２５側に位置する挿入先端部の外径の幅寸法をＷ１、反対側の外径の幅寸法をＷ２としている。各寸法の関係は、Ｗ１＜Ｗ０＜Ｗ２である。
【００４８】
先の実施の形態では、継ぎ手油受け部２７を移動するとき、一対の側板３１（第１側板）の内周面全体と一対の側板３３（第２側板）の外周面全体が接触しながら移動する可能性があり、接触抵抗が多少大きくなる。しかし、上述した寸法関係にして、継ぎ手油受け部２７をガイド受け部２５の上部に移動すると、移動の初期では一対の側板３１（第１側板）に一対の側板３３（第２側板）をほぼ接触することなく移動することができる。また移動の最終段階で、一対の側板３１（第１側板）に一対の側板３３（第２側板）を接触させて位置決めすることができる。こうして、継ぎ手油受け部２７の移動は、狭隘部での作業となるが、継ぎ手油受け部２７を所定の位置まで移動する作業が簡単になる。
【００４９】
前記の各実施例で説明したように、上部フレーム９を更に分割しても、傾斜したオイルパン補正部２３を利用して逆流したりすることのないオイルパンを形成することができる。従って、上部フレーム９における分割部１４の位置をある程度自由に決定することができ、上部フレーム９内には位置される駆動装置などの都合に応じて分割部１４を決定することができる。
【００５０】
尚、本発明は、上述した各実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００５１】
４    ステップ
６    フレーム
９    上部フレーム
１１  傾斜フレーム
１２  上部水平フレーム
１３  上部傾斜フレーム
１４  分割部
２３  オイルパン補正部
２５  ガイド受け部
２６  継ぎ手部カバー
２７  継ぎ手油受け部
３１  側板（第１側板）
３３  側板（第２側板）
３８，３９  コーキング
４１〜４３  コーキング
【図１】
2015113197.tif 000003
【図２】
2015113197.tif 000004
【図３】
2015113197.tif 000005
【図４】
2015113197.tif 000006
【図５】
2015113197.tif 000007
【図６】
2015113197.tif 000008
【図７】
2015113197.tif 000009
【図８】
2015113197.tif 000010
【図９】
2015113197.tif 000011
【図１０】
2015113197.tif 000012
【図１１】
2015113197.tif 000013